(57)【要約】【課題】パウチ袋内に収容されている液体を少量であっても注ぎ出しやすく、外部からパウチ袋内へ液体が戻りやすいパウチ袋用注出口を提供する。【解決手段】内部に液体が収容されるパウチ袋を形成するシート材に対して熱溶着される被溶着部と、前記被溶着部を貫通するように形成され、前記パウチ袋内と外部とを連通する連通孔と、前記連通孔に対して立設され、前記パウチ袋内の液体が前記連通孔を介して外部へと注ぎ出されるノズルと、前記ノズルの先端側の周囲を囲むように設けられた筒状周壁と、前記筒状周壁の基端側と前記被溶着部又は前記ノズルとの間を接続し、前記筒状周壁から前記連通孔側へ向かって傾斜する傾斜面を具備する底部と、を具備し、前記ノズルが前記筒状周壁の中心軸に対して当該筒状周壁の内壁面側へ偏移させて設けた。【選択図】図1
2018111528.tif 000002
【特許請求の範囲】
【請求項１】
内部に液体が収容されるパウチ袋を形成するシート材に対して熱溶着される被溶着部と、
前記被溶着部を貫通するように形成され、前記パウチ袋内と外部とを連通する連通孔と、
前記連通孔に対して立設され、前記パウチ袋内の液体が前記連通孔を介して外部へと注ぎ出されるノズルと、
前記ノズルの先端側の周囲を囲むように設けられた筒状周壁と、
前記筒状周壁の基端側と前記被溶着部又は前記ノズルとの間を接続し、前記筒状周壁から前記連通孔側へ向かって傾斜する傾斜面を具備する底部と、を具備し、
前記ノズルが前記筒状周壁の中心軸に対して当該筒状周壁の内壁面側へ偏移させて設けられていることを特徴とするパウチ袋用注出口。
【請求項２】
前記底部が、円錐状に形成されており、その底面側が前記筒状周壁の基端へ接続され、その頂点側が前記被溶着部において前記連通孔の近傍に接続される請求項１記載のパウチ袋用注出口。
【請求項３】
前記被溶着部がシート材に対して取り付けられた状態で、前記底部における前記ノズル側の傾斜面は、前記筒状周壁側が前記連通孔側よりも高くなるように構成されている請求項１又は２記載のパウチ袋用注出口。
【請求項４】
前記筒状周壁の中心軸が鉛直方向に対して４５度傾くように配置された状態において、前記底部における前記ノズル側の傾斜面は、前記筒状周壁側が前記連通孔側よりも高くなるように構成されている請求項１乃至３いずれかに記載のパウチ袋用注出口。
【請求項５】
前記ノズルが、前記筒状周壁の中心軸側に当該ノズルの先端から前記連通孔に至るスリットを有している請求項１乃至４いずれかに記載のパウチ袋用注出口。
【請求項６】
前記連通孔が、前記ノズルと前記筒状周壁の離間距離が最も大きい方向へ膨出し、前記ノズルからはみ出した膨出部を具備する請求項１乃至５いずれかに記載のパウチ袋用注出口。
【請求項７】
前記筒状周壁の外側周面にはおねじが形成されており、内側周面にめねじが形成された計量カップが螺合可能に構成されている請求項１乃至６いずれかに記載のパウチ袋用注出口。
【請求項８】
請求項１乃至７いずれかに記載のパウチ袋用注出口と、
前記パウチ袋用注出口の前記被溶着部に対して熱溶着されたパウチ袋と、を備えたパウチ容器。
【発明の詳細な説明】
【技術分野】
【０００１】
本発明は、パウチ袋に取り付けられるパウチ袋用注出口に関するものである。
【背景技術】
【０００２】
液体洗剤等は硬質樹脂で形成されたブローボトルに収容されて販売、使用されており、使用によって内容物が減少した場合には詰め替え用のパウチ容器を用いて前記ブローボトルに内容物の再充填が行われている。このようにすることで、消費者はブローボトルを再度新たに購入する場合と比較して、購入費用を抑えつつ、樹脂材料の使用量を低減して省資源化に協力できる。また、液体洗剤の製造業者としても詰め替え用のパウチ容器により液体洗剤が販売できることによって、製品としての重量を低減したり、空のブローボトルを保管しておくためのスペースを削減したりできる。このため、製造業者にとっても製品の運送費や保管スペースのための費用を低減できるといった経済的なメリットがある。
【０００３】
ところで、さらに樹脂材料の使用量を低減したり、従来よりも内容量を大きくしつつ、製品の重量やコストを低減したりするために硬質樹脂で形成されたブローボトルを使用せずに、詰め替え用のパウチ容器自体を日常的に使用したいという要望もある（特許文献１参照）。
【０００４】
このような要望に応えるために特許文献１では詰め替え用のパウチ容器に取り付けられる計量カップが提案されている。
【先行技術文献】
【特許文献】
【０００５】
【特許文献１】特開２００５−１１４５９１号公報
【発明の概要】
【発明が解決しようとする課題】
【０００６】
しかしながら、従来の詰め替え用のパウチ容器は日常使用されるブローボトルに対して１回の使用量と比較して大量の液体洗剤を注いで再充填することしか意図されておらず、注出口は円筒状等の非常に簡単な構造で形成されている。さらに、パウチ袋自体は柔らかい樹脂で形成されているため、パウチ容器の注出口から計量カップ内へ液体洗剤を注ごうとすると、注出口の向きがぶれてしまうことがある。これらのことから、パウチ容器から１回の洗濯に必要な少量の液体洗剤を計量カップで計りとるのは現状では難しく、使い勝手が悪い。
【０００７】
また、液体洗剤が外へ多く出過ぎてしまった場合にはパウチ容器内へ戻す必要があるが、例えば硬質樹脂で形成されたブローボトルの注出口の構造をそのままパウチ容器に採用しても注出口で液体洗剤が貯まってしまい、うまくパウチ容器内へ戻らないという問題がある。
【０００８】
本発明は上述したような問題を鑑みてなされたものであり、パウチ袋内に収容されている液体を少量であっても注ぎ出しやすく、外部からパウチ袋内へ液体が戻りやすいパウチ袋用注出口を提供することを目的とする。
【課題を解決するための手段】
【０００９】
すなわち、本発明に係るパウチ袋用注出口は、内部に液体が収容されるパウチ袋を形成するシート材に対して熱溶着される被溶着部と、前記被溶着部を貫通するように形成され、前記パウチ袋内と外部とを連通する連通孔と、前記連通孔に対して立設され、前記パウチ袋内の液体が前記連通孔を介して外部へと注ぎ出されるノズルと、前記ノズルの先端側の周囲を囲むように設けられた筒状周壁と、前記筒状周壁の基端側と前記被溶着部又は前記ノズルとの間を接続し、前記筒状周壁から前記連通孔側へ向かって傾斜する傾斜面を具備する底部と、を具備し、前記ノズルが前記筒状周壁の中心軸に対して当該筒状周壁の内壁面側へ偏移させて設けられていることを特徴とする。
【００１０】
このようなものであれば、前記ノズルによって前記パウチ袋内から注ぎ出される液体の量を絞れるので、液体を少量でも計りとりやすくすることができる。また、パウチ袋を大きく傾けなくてもパウチ袋内の液体が注ぎ出されるようにするために本発明に係るパウチ袋用注出口を自然状態で鉛直方向に対して斜めに傾けた状態で取り付けた場合でも、前記ノズルが前記筒状周壁の中心軸に対して当該筒状周壁の内壁面側へ偏移させてあるので、ノズルを下方側にしてパウチ袋に取り付けておくことにより、前記ノズルと前記筒状周壁又は前記底部との間の隙間を小さくして使用されなかった液体が貯まりにくくすることができる。
【００１１】
前記パウチ袋用注出口の内周面や前記ノズル等に付着している液体が、重力によって前記連通孔へと集められ、前記パウチ袋の内部へと自然に戻されやすくするには、前記底部が、円錐状に形成されており、その底面側が前記筒状周壁の基端へ接続され、その頂点側が前記被溶着部において前記連通孔の近傍に接続されていればよい。
【００１２】
前記パウチ袋用注出口内で液体が貯まる部分を無くし、使用していない間に余分な液体が前記連通孔から前記パウチ袋内へと戻されやすくするには、前記被溶着部がシート材に対して取り付けられた状態で、前記底部における前記ノズル側の傾斜面は、前記筒状周壁側が前記連通孔側よりも高くなるように構成されていればよい。
【００１３】
前記パウチ袋をそれほど傾けなくても前記パウチ袋用注出口から液体が注ぎ出されるようにしつつ、前記筒状周壁の中心軸が鉛直方向に対して４５度傾くように配置された状態において、前記底部における前記ノズル側の傾斜面は、前記筒状周壁側が前記連通孔側よりも高くなるように構成されていればよい。
【００１４】
前記パウチ袋用注出口から前記パウチ袋内へ液体を導入しやすし、かつ、樹脂成型をしやすくするには、前記ノズルが、前記筒状周壁の中心軸側に当該ノズルの先端から前記連通孔に至るスリットを有していればよい。
【００１５】
前記筒状周壁や前記底部に付着する液体が前記連通孔を介して前記パウチ袋内へと戻りやすくための具体的な構成としては、前記連通孔が、前記ノズルと前記筒状周壁の離間距離が最も大きい方向へ膨出し、前記ノズルからはみ出した膨出部を具備するものが挙げられる。
【００１６】
使用時以外においては前記パウチ袋内から液体が外部に液体が注ぎ出されないようにでき、使用時には少量の液体を計りとるのに利用できるようにするには、前記筒状周壁の外側周面にはおねじが形成されており、内側周面にめねじが形成された計量カップが螺合可能に構成されていればよい。
【００１７】
本発明に係るパウチ袋用注出口と、前記パウチ袋用注出口の前記被溶着部に対して熱溶着されたパウチ袋と、を備えたパウチ容器であれば、例えば液体洗剤のように少量を図りとる用途にも適したものとなる。
【発明の効果】
【００１８】
本発明に係るパウチ袋用注出口によれば、パウチ袋内に収容されている液体をノズルによって外部へ注ぎ出やすくしつつ、注ぎ出された余分な液体については内部に留まる量を低減できる。例えば、液体洗剤であれば硬質樹脂で形成されたブローボトルに充填されたものを使用するのと同等の使用感を得られる。また、詰め替え用途ではなく通常使用においてパウチ袋を用いることができるので、消費者にとってはブローボトルに液体が充填された商品を購入する場合と比較して購入費用を抑えつつ、省資源化にも協力することができる。また製造業者にとっては未充填のパウチ袋はブローボトルと比較して容積を取らずに在庫として保管しておけるので、省スペース化による保管費用の低減を図れる。さらに通常使用品としてパウチ袋を使用して製品自体の計量化を図れるので輸送費を削減したり、低減できたコストの分だけ内容量を増加させたりすることもできる。
【図面の簡単な説明】
【００１９】
【図１】本発明の一実施形態に係るパウチ容器を示す模式図。
【図２】同実施形態におけるパウチ袋用注出口の六面図。
【図３】同実施形態におけるパウチ袋用注出口のＡ−Ａ線断面図。
【図４】同実施形態におけるパウチ袋用注出口のＢ−Ｂ線断面図。
【図５】同実施形態におけるパウチ袋用注出口の取り付け状態における断面拡大図。
【図６】同実施形態における計量カップを示す模式図。
【図７】その他の実施形態に係るパウチ容器を示す模式図。
【発明を実施するための形態】
【００２０】
本発明の一実施形態に係るパウチ容器２００について各図を参照しながら説明する。本実施形態に係るパウチ容器２００は、液体洗剤が内部に収容されるパウチ袋１０１と、前記パウチ袋１０１に対して取り付けられるパウチ袋用注出口１００と、前記パウチ袋用注出口１００に対して螺合される計量カップ１０２と、を備えている。
【００２１】
前記パウチ袋１０１は、軟質樹脂のシート材を２枚熱溶着させて底側にまちを形成し自立するようにしたいわゆるスタンディングパウチである。この実施形態では図１に示されるように自立している状態の前記パウチ袋１０１において上側角部に前記パウチ袋用注出口１００が斜めに傾けて熱溶着してある。
【００２２】
前記パウチ袋用注出口１００は、硬質樹脂で射出成型されたものであり、前記パウチ袋１０１に熱溶着される被溶着部１と、前記被溶着部１に対して立設させて設けてあるノズル３と、前記ノズル３の周囲を囲むように設けられ、前記計量カップ１０２が外側周面に螺合される筒状周壁４と、前記筒状周壁４と前記被溶着部１との間を接続する底部５と、を備えている。
【００２３】
前記パウチ袋用注出口１００の各部の詳細について図２乃至図５を参照しながら説明する。図２はパウチ袋用注出口１００の六面図であり、背面については正面と左右対称に表れるため省略してある。図３は図２のＡ−Ａ線断面図であり、図４は図２のＢ−Ｂ線断面図である。図５はパウチ袋１０１に取り付けられた状態のパウチ袋用注出口１００の断面拡大図である。
【００２４】
前記被溶着部１は、図２に示されるように概略ひし形形状の上下面を有する柱状体であり、その中央部には前記パウチ袋１０１の内部と外部とを連通する連通孔２が貫通させてある。前記被溶着部１の外側周面に対して前記パウチ袋１０１を構成する２枚のシート材が厚み方向に挟んで状態で熱溶着される。すなわち、前記被溶着部１の外側周面が被熱溶着面をなしており、その厚み寸法は前記筒状周壁４の直径よりも小さく形成してある。また、前記被溶着部１の上下面を概略ひし形状にして、その厚み寸法を小さくしてあるのでシート材が前記被溶着部１の外側周面に沿う距離や曲率を大きくしてたわまずに熱溶着しやすくしてある。図２において前記熱溶着部よりも上側にある各部は前記パウチ袋１０１の外側に配置されることになる。
【００２５】
前記連通孔２は図２における上面図、下面図に示されるように概略円形状の主部と、長方形状であり前記ノズル３の外側へはみ出して膨出したキー溝状の膨出部２１とからなる。前記パウチ容器２００を傾斜させた際には主に前記連通孔２の主部から前記ノズル３内へ前記パウチ袋１０１内の液体洗剤が流れていき、外部へと注ぎ出される。一方、前記膨出部２１へは前記パウチ容器２００を自立させたままの状態におくと前記計量カップ１０２又は前記パウチ袋用注出口１００の内側に付着していた液体洗剤が重力により下方へ移動し、前記パウチ袋１０１内へ戻るための通路として作用する。
【００２６】
前記ノズル３は図２乃至図４に示されるように前記筒状周壁４の中心軸Ｃに対して当該筒状周壁４の内壁面側へ偏移させて設けてある。図２の右側面図、図４の縦断面図に示されるように前記ノズル３において前記筒状周壁４の中心軸Ｃ側には当該ノズル３の延伸方向に対して延びるスリットが先端から前記連通孔２に至るまで形成してある。図４に示されるように縦断面視において前記ノズル３は前記筒状周壁４及び前記底部５の中心軸Ｃと、前記筒状周壁４の内壁面との間の領域に全体が収容されるようにしてある。具体的には前記パウチ袋用注出口１００が、前記パウチ袋１０１に対して斜めに取り付けられた状態において前記ノズル３は下方側に配置されるようにしてある。そして前記ノズル３と前記筒状周壁４の内壁面との間の空隙のうち下方側は上方側よりも狭くなるように構成してある。本実施形態では前記ノズル３と前記筒状周壁４との間で最も狭い空隙の大きさは前記計量カップ１０２の一部が空隙内に収容される程度に設定してある。
【００２７】
前記筒状周壁４は、円筒状のものであり外側周面にはおねじ４１が形成してあり、前記計量カップ１０２に形成されためねじ７１と螺合するようにしてある。前記筒状周壁４の先端側の内側周面は前記計量カップ１０２において立設する円環状のストッパ６１部材と嵌合して前記計量カップ１０２が前記筒状周壁４に螺合している状態では前記パウチ袋１０１内の液体洗剤が外部に漏れないように作用する。
【００２８】
前記底部５は、前記筒状周壁４の基端側と前記被溶着部１又は前記ノズル３との間を接続し、前記筒状周壁４から前記連通孔２側へ向かって傾斜する傾斜面５１を具備するものである。より具体的には前記底部５は図２乃至図４に示されるように倒立した円錐状に形成されており、その底面側が前記筒状周壁４の基端へ接続してあり、その頂点側が前記被溶着部１において前記連通孔２の近傍に接続してある。すなわち、前記底部５は前記連通孔２の膨出部２１を中心部とするすり鉢状の形状を有している。図５に示されるように前記パウチ袋用注出口１００が鉛直方向に対して４５度傾けて取り付けた場合でも、前記底部５における前記ノズル３側の傾斜面５１は、前記筒状周壁４側が前記連通孔２側よりも高くなるように構成してある。言い換えると、傾けて取り付けた状態において前記ノズル３の近傍において液体洗剤が貯まるポケットが形成されないようにしてある。
【００２９】
前記計量カップ１０２は、所定量の液体洗剤を計量するための内筒６と、前記筒状周壁４に螺合されるめねじ７１が形成された外筒７とを備えている。すなわち、前記計量カップ１０２の開口側は概略二重円筒状に形成してある。本実施形態では未使用時にて前記パウチ袋用注出口１００の周囲に係合するプルーフリングに対して開口側端部が一部接続してあり、前記計量カップ１０２を回し外す際にちぎれて外れるようにしてある。
【００３０】
このように構成されたパウチ容器２００によれば、前記パウチ袋用注出口１００が前記パウチ袋１０１が自立している状態において自立方向に対して傾斜させて取り付けてあるので、前記パウチ容器２００を少し傾けるだけでも前記パウチ袋１０１の内部から液体洗剤を外部へ注ぎ出すことができる。前記パウチ容器２００を大きく傾けなくてもよいので、前記パウチ袋１０１がよれて前記ノズル３から液体洗剤が注ぎ出される方向が変化してしまうのも防ぎやすい。また、前記ノズル３によって前記パウチ袋１０１内から注ぎ出される液体の量を絞れるので、液体を少量でも計りとりやすくすることができる。
【００３１】
さらに、前記ノズル３が前記筒状周壁４の中心軸Ｃに対して当該筒状周壁４の内壁面側へ偏移させてあり、かつ、ノズル３を下方側にして前記パウチ袋用注出口１００が設けてあるので、前記ノズル３と前記筒状周壁４又は前記底部５との間の隙間を小さくすることができる。このため、前記筒状周壁４や前記底部５の内側周面、あるいは、計量カップ１０２に付着して残った液体洗剤が前記筒状周壁４と前記ノズル３との間に貯まりにくくすることができる。
【００３２】
加えて、前記パウチ容器２００を自立させている状態において、前記底部５において前記ノズル３近傍の傾斜面５１がノズル３の先端側のほうがノズル３の基端側よりも高くなるようにしてあるので、重力により各部に付着している液体洗剤は前記底部５の傾斜面５１に沿って前記連通孔２へ向かって移動し、最終的に前記パウチ袋１０１内へとスムーズに回収することができる。
【００３３】
また、本実施形態のパウチ容器２００であれば硬質樹脂で形成されたブローボトルで液体洗剤の計量をするのに近い感覚で使用できる。さらに前記パウチ容器２００は同じ充填量であればブローボトルと比較して軽量化できるので、女性やシニアであっても使いやすくできる。また、本実施形態のパウチ容器２００は液体洗剤を規定量充填するのに必要な容積を作るために必要となる樹脂の量を少なくできるので、容器の製造にかかるコストが低減できる。このため、前記パウチ容器２００について従来よりも内容量を多くし大型化するといったことも可能となる。このように本実施形態のパウチ容器２００は消費者にとっては従来と同等の使用感を得ながら、購入費用を抑え、省資源化といったエコ活動にも協力できる。また、製造業者からするとパウチ容器２００は未充填の間は小さくたためることから在庫品を保管するためのスペースを小さくでき、保管のための費用等も低減できる。したがって、従来のブローボトルから本実施形態のパウチ容器２００は通常使用のために用いるようにすることで消費者、製造業者ともにメリットを享受できる。
【００３４】
その他の実施形態について説明する。
【００３５】
図７に示すようにパウチ袋用注出口は例えばノズルが鉛直方向の沿って延びるようにパウチ袋に対して取り付けても構わない。また、パウチ袋用注出口を傾けて取り付ける場合でもその角度は鉛直方向や自立方向に対して４５度には限られず、より小さい角度や大きい角度であっても構わない。
【００３６】
被溶着部がシート材に対して取り付けられた状態で、底部におけるノズル側の傾斜面は、前記筒状周壁側が前記連通孔側よりも高くなるように構成されていれば、パウチ袋用注出口内で液体が滞留するのを防ぐ効果が得られる。
【００３７】
底部の形状は円錐形状に限られるものではなく例えば一部については筒状周壁と同様に部分円筒状に形成してあってもよい。すなわち、少なくとも前記ノズルの近傍においては傾斜面が形成されるようにしてもよい。熱溶着部の形状や大きさについても実施形態に示したものに限られず、例えば筒状周壁と同様に直径を有する円板状に形成し、円周全体にシート材が熱溶着されるようにしてもよい。
【００３８】
パウチ袋内に収容される液体は液体洗剤に限られるものではなく、例えばジャンプ―やコンディショナーなどその他のものであっても構わない。特にパウチ袋内に収容されている液体の全体量に対して少量だけ計量する必要がある液体について販売、使用するのに本発明は適している。また、本発明はパウチ袋内に収容されるのは液体だけでなく粉体等であっても構わない。
【００３９】
パウチ袋についてはスタンディングパウチに限られるものではなく、その他のタイプのパウチ袋であっても本発明に係るパウチ袋用注出口は適応可能である。
【００４０】
その他、本発明の趣旨に反しない限りにおいて様々な実施形態の変形や組み合わせを行っても構わない。
【符号の説明】
【００４１】
２００・・・パウチ容器
１００・・・パウチ袋用注出口
１０１・・・パウチ袋
１    ・・・被溶着部
２    ・・・連通孔
２１  ・・・膨出部
３    ・・・ノズル
４    ・・・筒状周壁
５    ・・・底部
５１  ・・・傾斜面
６    ・・・内筒
７    ・・・外筒
【図１】
2018111528.tif 000003
【図２】
2018111528.tif 000004
【図３】
2018111528.tif 000005
【図４】
2018111528.tif 000006
【図５】
2018111528.tif 000007
【図６】
2018111528.tif 000008
【図７】
2018111528.tif 000009